【事件の表示】
　特願２００５−３１６７１６「画像再生装置及びその制御方法、プログラム、記憶媒体」拒絶査定不服審判事件〔平成１８年　６月２２日出願公開、特開２００６−１６４２４５〕について、次のとおり審決する。
【結　論】
　本件審判の請求は、成り立たない。
【理　由】
１．手続きの経緯
　本願は、平成１３年２月７日に出願した特願２００１−３１２４８号の一部を平成１６年１０月５日に新たに特許出願した特願２００４−２９２６０９号の一部を平成１７年１０月３１日に新たな特許出願としたものであって、平成１８年３月２日付けで拒絶査定がなされたところ、これに対して同年４月１０日に拒絶査定に対する審判請求がなされるとともに、同年５月８日に手続補正書が提出されたものである。
　
２．補正却下の決定
　平成１８年５月８日に提出された手続補正書による補正の却下の決定
　
（１）［補正却下の決定の結論］
　平成１８年５月８日に提出された手続補正書による補正（以下、「本件補正」という。）を却下する。
　
（２）［補正却下の決定の理由］
（ａ）補正の内容
　本件補正によると、その特許請求の範囲の請求項１は、
「外部プリンタに直接通信する通信部と、
　画像を記憶する記憶媒体を接続するインターフェースと、
　前記インターフェースを介して、前記記憶媒体に記憶されている画像を読み出して、表示装置に画像を表示させる再生手段と、
　前記表示装置に表示された画像を印刷対象として指示する指示部と、
　前記通信部で前記外部プリンタと通信可能な場合に、前記指示部への指示に応じて、前記表示装置に印刷の可否を指示させるための表示、及び印刷条件に関する表示を含む印刷設定画面を前記表示装置に表示させる表示制御部とを有し、
　前記表示制御部の制御により前記印刷設定画面を表示したことに続いて、前記指示部へ再び指示することに応じて前記印刷対象画像に対する印刷実行の指示が確定して前記外部プリンタに印刷を開始させることを特徴とする再生制御装置。」
と補正されている。　
　
　上記補正は、本件補正前の請求項１を引用する請求項３に記載した発明を特定するために必要な事項である「前記通信部により前記外部プリンタと通信している場合に、前記指示部への指示に応じて、前記表示装置に印刷の可否を確定させるための画面を表示させる表示制御部」及び「前記表示制御部の制御により前記画面を表示したことに続いて、前記指示部へ再び指示することに応じて前記印刷対象画像に対する印刷実行の指示が確定することを特徴とする再生制御装置」に対し、それぞれ「前記通信部で前記外部プリンタと通信可能な場合に、前記指示部への指示に応じて、前記表示装置に印刷の可否を指示させるための表示、及び印刷条件に関する表示を含む印刷設定画面を前記表示装置に表示させる表示制御部」及び「前記表示制御部の制御により前記印刷設定画面を表示したことに続いて、前記指示部へ再び指示することに応じて前記印刷対象画像に対する印刷実行の指示が確定して前記外部プリンタに印刷を開始させることを特徴とする再生制御装置」と限定するものであり、本件補正は、特許法第１７条の２第４項第２号に規定する特許請求の範囲の減縮を目的とするものに該当するといえる。
　
　そこで、本件補正後の前記請求項１に記載された発明（以下、「本願補正発明」という。）が、特許出願の際独立して特許を受けることができるものであるか（特許法第１７条の２第５項において準用する同法第１２６条第５項の規定に適合するか）否かについて以下検討する。
　
（ｂ）引用例
　原査定の拒絶の理由に引用された特開平１１−４６３３１号公報（以下、「引用例」という。）には、図とともに、以下のような記載がある。
（イ）「【０００１】
【発明の属する技術分野】本発明はデジタルカメラに関し、特に、画像データを直接プリンタに出力することのできるデジテルカメラおよびそれを用いた印刷システムに関する。」（段落【０００１】）
　
（ロ）「【００３６】画像データ（ＪＰＥＧ圧縮データ）およびサムネイル画像データは、内部プログラム４３３あるいはそれに相当する回路によって処理され、記録媒体制御部８により記録媒体９に書込まれる。
【００３７】表示用データ出力手段４３６は、ＬＥＤ表示、画像データあるいはメニュー等の表示データをデジタルカメラ１００のＬＥＤ１４または液晶ディスプレイ１６に出力する。
【００３８】図３は、画像選択手段４５の構成例を示すブロック図である。
【００３９】図３（ａ）に示す画像選択手段４５Ａは、撮影した画像データを順に液晶ディスプレイ１６に表示してユーザに所望の印刷画像を選択させる印刷画像選択手段４５３と、印刷枚数、印刷用紙サイズ、印刷色（フルカラー、モノカラー、白黒）等の印刷仕様および画像データの送信先である外部装置を指定する出力方法指定手段４５４とを有する（実施例１参照）。」（段落【００３６】〜【００３９】）
　
（ハ）「【００５７】図７はデジタルカメラ１００の背面部分の一例である。デジタルカメラ１００の背面には、画像あるいは機能メニュー等を表示する液晶ディスプレイ１６と液晶ディスプレイ１６の画面を上下、左右にスクロールさせるボタン１９、２０と機能選択用ボタン１７、１８が設けられている。なお、図８（ａ）は画像表示の例、（ｂ）は出力方法指定画面の例である。
【００５８】
【実施例】以下、画像選択手段４５（４５Ａ、４５Ｂ、４５Ｃ、４５Ｄのいずれか）の各実施例について述べる。
【００５９】＜実施例１＞図８は画像選択手段４５Ａの動作を示すフローチャートである。撮影済みの画像データを順に液晶ディスプレイに表示してユーザに所望の印刷画像を選択させ、印刷枚数、印刷用紙サイズ、印刷色（カラー、モノカラーあるいは白黒）等の印刷仕様を指定し、印刷画像データを作成し外部装置に送信するまでの動作例を示す。
【００６０】画像選択手段４５ＡがＲＡＭ４２に転送されるとコントロールシステム４３１は画像選択手段４５Ａに制御を渡す。印刷画像選択手段４５３は１枚分の画像データを読み出しフレームメモリ６に転送し、データ伸張プログラムを用いてＪＰＥＧ画像データを伸張して候補画像３１を液晶ディスプレイ１６上に表示する（Ｓ１）。この場合、候補画像には索引番号を付加して表示する。
【００６１】ユーザがボタン１９を押しつづけると印刷画像選択手段４５３は候補画像を順次表示し、ユーザーがボタンから手を離すとその時点の画像で表示を停止する。ユーザーがボタン２０を押しつづけると印刷画像選択手段４５３は前の候補画像を順次表示し、ユーザーがボタンから手を離すとその時点の候補画像で表示を停止する（Ｓ２）。
【００６２】ユーザーがボタン１７あるいは１８の何れかを押すと、印刷画像選択手段４５３はその候補画像が選択されたものとみなし、制御を出力方法指定手段４５４に移す（Ｓ３）。
【００６３】出力方法指定手段４５４は、出力方法指定画面表示手段４５４１により、図７（ｂ）に示すような出力方法指定メニューを表示し、ユーザーに各印刷仕様および画像データ送信先外部装置の選択或いは入力を促す。
【００６４】このとき、初期表示として例えば、「印刷枚数＝１、印刷用紙サイズ＝Ａ４、印刷色＝フルカラー、出力装置＝カラープリンタ」が表示される。指定あるいは選択ができる矩形枠２１の内部は、他の矩形枠とは異なる色で表示される（Ｓ４）。
【００６５】先ず、印刷枚数指定手段４５４２は、ユーザがボタン１７またはボタン１８の何れかを押すと印刷枚数を指定するステップに移行する。ユーザーがボタン１９を押すとその都度印刷枚数を初期値から１ずつカウントアップして枚数を表示する。ボタン２０を押す都度表示は１ずつカウントダウンする。ユーザーがボタン１７またはボタン１８の何れかを押すと、その時点の表示値を印刷枚数としてセットして設定値登録テーブルの画像索引番号に対応する位置に格納して次のステップに移行する（Ｓ５）。
【００６６】印刷サイズ指定手段４５４３は、ユーザがボタン１７またはボタン１８の何れかを押すと印刷用紙サイズを選択するステップに移行し、予め印刷用紙サイズが登録された印刷サイズ登録テーブルの内容を表示する。ボタン１９あるいはボタン２０を押して所望の印刷用紙サイズを選択し、ボタン１７またはボタン１８の何れかを押すと選択した印刷用紙サイズをセットして設定値登録テーブルの画像索引番号に対応する位置に格納して、次のステップに移行する（Ｓ６）。
【００６７】印刷色指定手段４５４４は、ユーザーがボタン１７またはボタン１８の何れかを押すと印刷色を選択するステップに移行し、予め印刷色が登録された印刷色登録テーブルの内容を表示する。ボタン１９あるいはボタン２０を押して所望の印刷色を選択し、ボタン１７またはボタン１８の何れかを押すと選択した印刷色がセットされる。印刷色としてフルカラーを選択すると、ＲＧＢ変換プログラム５２の印刷色パラメータを１にする。印刷色としてモノカラーを選択すると、ＲＧＢ変換プログラム５２の印刷色パラメータを２にする。印刷色として白黒を選択すると、ＲＧＢ変換プログラム５２の印刷色パラメータを３にする。印刷色パラメータは、設定値登録テーブルの画像索引番号に対応する位置に格納される（Ｓ７）。
【００６８】出力装置指定手段４５４５は、ユーザーがボタン１７またはボタン１８の何れかを押すと出力装置を選択するステップに移行し、予め出力装置が登録された出力装置登録テーブルの内容を表示する。出力装置としてカラープリンタを選択すると、画像データ送信プログラム５４の出力装置パラメータを１とする。出力装置としてファクシミリを選択すると、画像データ送信プログラム５４の出力装置パラメータを２にする。出力装置としてＰＣを選択すると、画像データ送信プログラム５４の出力装置パラメータを３にする。出力装置として通信端末を選択すると、画像データ送信プログラム５４の出力装置パラメータを４にする。ユーザーがボタン１７または１８を押すと選択した出力装置がセットされ、設定値として設定値登録テーブルの画像索引番号に対応する位置に格納し、次の候補画像を表示するためにステップＳ１に戻る。次の候補画像がない場合には出力装置パラメータの値を調べ、その値が１または２のときはステップＳ９に移行し、３または４の時はステップＳ１６に進む（Ｓ８）。
【００６９】コントロールプログラム４３１は、印刷画像データ作成用プログラム群５０を順次ＲＡＭ４２に展開し、圧縮データ伸張プログラム５１に制御を移す（Ｓ９）。
・・・中略・・・
【００７６】ハーフトーン処理が終わると、画像データ送信プログラム５４は、印刷色パラメータを調べ、印刷色パラメータの値が１の場合には印刷枚数の設定値、印刷用紙サイズの設定値、印刷用制御信号および２値のビットマップデータをインターフェイス１１を介して、例えばカラーインクジェットプリンタ２４０に送信する。カラーインクジェットプリンタ２４０は、デジタルカメラ１００から直接印刷用制御信号および印刷用データを受け取って所望の枚数の撮影画像を所望のサイズの記録紙上に印刷することができる。」（段落【００５７】〜【００７６】）
　
（ニ）「【００９９】
【発明の効果】以上説明したように本発明によれば、デジタルカメラの液晶ディスプレイ等の表示手段に画像を表示して所望の画像を選び、印刷枚数、印刷用紙サイズ、印刷色等の印刷仕様を指定し、それに基づいて作成した印刷画像データをデジタルカメラからにプリンタに送信することが可能となる。従って、ＰＣ等の他の処理装置を介さなくても撮影像の印刷ができるので、ＰＣ等を持っていない人々、またはＰＣを持っていたとしてもそれらの操作に不慣れな人々に対して、デジタルカメラの一層の普及が期待できる。」（段落【００９９】）
　
　以上の記載によれば、この引用例には以下のような発明（以下、「引用例発明」という。）が開示されていると認められる。
　
「印刷画像データを送信先外部装置であるプリンタ２４０に直接送信するインターフェース１１と、
　画像データが記録された記憶媒体９と、
　前記記憶媒体９に記録されている画像データを読み出して、液晶ディスプレイ１６上に候補画像を表示させ、画面をスクロールさせるボタン１９、２０を押しつづけると候補画像を順次表示し、機能選択用ボタン１７あるいは１８の何れかを押すと、その時点に表示されている候補画像を印刷画像として選択されたものとみなす印刷画像選択手段４５３と、
　機能選択用ボタン１７あるいは１８が押されて印刷画像が選択されると出力方法指定メニュー（初期表示として例えば、「印刷枚数＝１、印刷用紙サイズ＝Ａ４、印刷色＝フルカラー、出力装置＝カラープリンタ」が表示される。）を表示して、各印刷仕様および画像データ送信先外部装置の選択或いは入力を促す出力方法指定手段４５４とを有し、
　前記出力方法指定手段４５４は、機能選択用ボタン１７あるいは１８の何れかを押すと前記出力方法指定メニューの各印刷仕様の設定値を指定するステップに移行し、ボタン１９、２０を押すと印刷仕様の設定値を変更し、機能選択用ボタン１７あるいは１８が押されるとその時点の印刷仕様の設定値をセットするものであって、各印刷仕様及び送信先外部装置がセットされると、それに基づいて選択された印刷画像に対する印刷用画像データが作成され、当該作成された印刷用画像データ及び直接印刷用制御信号が送信先外部装置であるプリンタ２４０に直接送信されて印刷が行われることを特徴とするデジタルカメラ。」　
　
（ｃ）対　比
　本願補正発明と引用例発明とを対比する。
　引用例発明の「送信先外部装置であるプリンタ２４０」及び「インターフェース１１」は、それぞれ本願補正発明の「外部プリンタ」及び「外部プリンタに直接通信する通信部」に相当する。
　引用例発明の「画像データ」及び「画像データが記録された記憶媒体９」は、それぞれ本願補正発明の「画像」及び「画像を記憶する記憶媒体」に相当する。
　引用例発明の前記記憶媒体９に記録されている画像データを読み出して、液晶ディスプレイ１６上に候補画像３１を表示させる印刷画像選択手段４５３は、記憶媒体９を接続するインターフェースを有することは明らかであるから、本願補正発明の「画像を記憶する記憶媒体を接続するインターフェースと、前記インターフェースを介して、前記記憶媒体に記憶されている画像を読み出して、表示装置に画像を表示させる再生手段」に相当する。
　引用例発明は機能選択用ボタン１７あるいは１８の何れかを押すと、印刷画像選択手段４５３は、その時点に表示されている候補画像を印刷画像として選択されたものとみなすから、「機能選択用ボタン１７あるいは１８」は、本願補正発明の「前記表示装置に表示された画像を印刷対象として指示する指示部」に相当する。
　引用例発明の「出力方法指定メニュー（初期表示として例えば、「印刷枚数＝１、印刷用紙サイズ＝Ａ４、印刷色＝フルカラー、出力装置＝カラープリンタ」が表示される。）」は、本願補正発明の「印刷の可否を指示させるための表示、及び印刷条件に関する表示を含む印刷設定画面」と「印刷条件に関する表示を含む印刷設定画面」である点で一致するといえる。
　引用例発明は、デジタルカメラにおける直接印刷の制御であり、引用例発明の「出力方法指定手段４５４」は、印刷画像が選択されると出力方法指定メニューを表示して、各印刷仕様および画像データ送信先外部装置の選択或いは入力を促すから、本願補正発明の「表示制御部」と「前記通信部で前記外部プリンタと通信可能な場合に、前記指示部への指示に応じて、前記表示装置に印刷条件に関する表示を含む印刷設定画面を前記表示装置に表示させる」点で一致する。
　さらに、引用例発明の前記出力方法指定手段４５４は、機能選択用ボタン１７あるいは１８が押されるとその時点の出力方法指定メニューの印刷仕様の設定値をセットするものであり、「機能選択用ボタン１７あるいは１８が押される」が本願補正発明の「前記指示部に再び指示すること」に相当するから、引用例発明の各出力仕様及び送信先外部装置がセットされると、それに基づいて選択された印刷画像に対する印刷用画像データが作成され、当該作成された印刷用画像データ及び直接印刷用制御信号が送信先外部装置であるプリンタ２４０に直接送信されて印刷が行われることは、本願補正発明の「前記表示制御部の制御により前記印刷設定画面を表示したことに続いて、前記指示部へ再び指示することに応じて前記印刷対象画像に対する印刷実行の指示が確定して前記外部プリンタに印刷を開始させる」と「前記表示制御部の制御により、前記印刷設定画面を表示し、前記指示部へ再び指示することに応じて前記外部プリンタに印刷を開始させる」点で対応するといえる。
　引用例発明の「デジタルカメラ」は、記憶媒体９に記録されている画像データを読み出して、液晶ディスプレイ１６上に候補画像３１を表示させるから、本願補正発明の「再生制御装置」に対応している。
　
　そうすると、両者は、
「外部プリンタに直接通信する通信部と、
　画像を記憶する記憶媒体を接続するインターフェースと、
　前記インターフェースを介して、前記記憶媒体に記憶されている画像を読み出して、表示装置に画像を表示させる再生手段と、
　前記表示装置に表示された画像を印刷対象として指示する指示部と、
　前記通信部で前記外部プリンタと通信可能な場合に、前記指示部への指示に応じて、前記表示装置に印刷条件に関する表示を含む印刷設定画面を前記表示装置に表示させる表示制御部とを有し、
　前記表示制御部の制御により、前記印刷設定画面を表示し、前記指示部へ再び指示することに応じて前記外部プリンタに印刷を開始させることを特徴とする再生制御装置。」
で一致するものであり、次の（１）、（２）の点で相違している。
　
（１）印刷設定画面が、本願補正発明は「印刷の可否を指示させるための表示、及び印刷条件に関する表示を含む」のに対し、引用例発明は、印刷の可否を指示させるための表示を含むものではない点。
　
（２）本願補正発明は、印刷設定画面を表示したことに続いて、「前記指示部へ再び指示することに応じて前記印刷対象画像に対する印刷実行の指示が確定して前記外部プリンタに印刷を開始させる」のに対し、引用例発明は、出力方法指定メニューを表示し、ボタン１９、２０を押して出力方法指定メニューの各印刷仕様の設定値を変更選択し、前記指示部への指示により、その時点の各印刷仕様の設定値をセットするものであって、印刷設定画面を表示したことに続いて、印刷対象画像に対する印刷実行の指示を確定するものではない点。
　
（ｄ）当審の判断
・相違点（１）について
　印刷設定において、印刷の可否を指示させるための表示、及び印刷条件に関する表示を含む印刷設定画面を表示することは、本願の原出願日前周知（特開２０００−１０１８９４号公報段落【００５６】、図１６の記載、特開平１１−３０９９２４号公報段落【００５１】、図７の記載、特開平１１−３２７８６５号段落【００４２】、図８の記載参照）である。
　したがって、引用例発明において、印刷設定画面に印刷の可否を指示させるための表示、及び印刷条件に関する表示を含むようにすることは、当業者が容易になし得ることである。
　
・相違点（２）について
　引用例発明において、出力方法指定メニューの初期表示の印刷仕様（例えば、「印刷枚数＝１、印刷用紙サイズ＝Ａ４、印刷色＝フルカラー、出力装置＝カラープリンタ」）で印刷する場合、ボタン１９、２０によって各印刷仕様の設定値を変更する必要はないから、出力方法指定メニューを表示したことに続いて、印刷を開始させるのに、表示された画像を印刷対象として指示するのに使用した機能選択用ボタン１７あるいは１８のみを押して各印刷仕様及び送信先外部装置をセットすればよいことは明らかである。
　そして、デジタルカメラにおける画像の直接印刷において、印刷操作を簡単にするために、印刷を希望する画像が表示されたときに、確定（ＳＥＴ）キーを押すだけで印刷画像が確定し印刷処理を実行する、すなわち、指示部へ指示することに応じて印刷対象画像に対する印刷実行の指示が確定して前記外部プリンタに印刷を開始させることは、本願の原出願日前周知（特開平１０−１０８００５号公報段落【００５９】の記載、特開平１０−１０７９８１号公報段落【００４７】の記載参照）である。
　したがって、引用例発明において、印刷設定画面を表示したことに続いて、前記指示部へ再び指示することに応じて前記印刷対象画像に対する印刷実行の指示が確定して前記外部プリンタに印刷を開始させるようにすることは、当業者が容易になし得ることである。
　
　また、上記相違点により奏される効果は、引用例発明及び周知技術から、当業者が予想し得る範囲内のものと認められる。
　
（ｅ）結論
　そうすると、本願補正発明は、引用例発明及び周知技術に基づいて当業者が容易に発明をすることができたものであるから、特許法第２９条第２項の規定により、特許出願の際独立して特許を受けることができないものである。
　したがって、本件補正は、平成１８年法律第５５号改正附則第３条第１項によりなお従前の例とされる同法による改正前の特許法第１７条の２第５項において準用する同法第１２６条第５項の規定に違反するので、同法第１５９条第１項において読み替えて準用する同法第５３条第１項の規定により却下すべきものである。
 　
　３．本願発明
　上記のとおり、上記本件補正は却下されたので、本願請求項１に係る発明（以下、「本願発明」という。）は、平成１８年２月１３日に提出された手続補正書における特許請求の範囲の請求項１に記載された事項により特定される、以下のとおりのものである。
　
「画像を記憶する記憶媒体を接続するインターフェースと、
　前記インターフェースを介して、前記記憶媒体に記憶されている画像を読み出して、表示装置に画像を表示させる再生手段と、
　前記表示装置に表示された画像を印刷対象として指示する指示部と、
　前記指示部への指示に応じて、前記表示装置に印刷の可否を確定させるための画面を前記表示装置に表示させる表示制御部とを有し、
　前記表示制御部の制御により前記画面を表示したことに続いて、前記指示部へ再び指示することに応じて前記印刷対象画像に対する印刷実行の指示が確定することを特徴とする再生制御装置。」
　
４．引用例
　原査定の拒絶理由に引用された引用例、及びその記載事項は、前記「２．（ｂ）」に記載したとおりである。
　
５．対比・判断
　本願発明は、前記２．で検討した本願補正発明から「外部プリンタに直接通信する通信部」を省き、「前記通信部で前記外部プリンタと通信可能な場合に、前記指示部への指示に応じて、前記表示装置に印刷の可否を指示させるための表示、及び印刷条件に関する表示を含む印刷設定画面を前記表示装置に表示させる」及び「指示部へ再び指示することに応じて前記印刷対象画像に対する印刷実行の指示が確定して前記外部プリンタに印刷を開始させる」から限定を省き、それぞれ「前記指示部への指示に応じて、前記表示装置に印刷の可否を確定させるための画面を表示させる」及び「指示部へ再び指示することに応じて前記印刷対象画像に対する印刷実行の指示が確定する」とするものである。
　そうすると、本願発明の構成要件を全て含み、さらに限定したものに相当する本願補正発明が前記２．に記載したとおり、引用例発明及び周知技術に基づいて、当業者が容易に発明をすることができたものであるから、本願発明も同様の理由により、引用例発明及び周知技術に基づいて、当業者が容易に発明をすることができたものである。
　　
６．むすび
　以上のとおり、本願請求項１に係る発明は、引用例発明及び周知技術に基づいて当業者が容易に発明をすることができたものであるから、特許法第２９条第２項の規定により、特許を受けることができない。
　したがって、本願は、その余の請求項について論及するまでもなく拒絶すべきものである。
　よって、結論のとおり審決する。